(57)【特許請求の範囲】
【請求項１】
救助工作車の側面に臨む積載スペース(53)に備えられ、資機材を収納する棚体(11)を、積載スペース(53)に格納した格納状態の位置と、積載スペース(53)から引き出した展開状態の位置との間で移動可能とした展開式収納庫において、
前記棚体(11)の横枠と積載スペース(53)の枠部とを横アーム(12)及びリンクロッド(13)を介して連結することにより、水平方向の平行リンク機構を構成し、
前記棚体(11)の向き及び高さ方向の位置が格納状態と展開状態とで変化せず、展開状態では、棚体(11)が格納状態から一側方へ移動して横アーム(12)で支持されるようにしたことを特徴とする救助工作車の展開式収納庫。
【発明の詳細な説明】
【技術分野】
【０００１】
この発明は、災害や事故の被災者を救助するため、工具等の資機材を積載して現場へ向かう救助工作車において、積載スペースに装備される展開式収納庫に関するものである。
【背景技術】
【０００２】
各地の消防機関には、災害や事故の発生時、倒壊物や重量物を押し広げるスプレッダーやこれらを切断するカッター等の資機材を積載して現場へ急行する救助工作車が配備されている。このような救助工作車に係る発明として、下記特許文献１には、図６に示すようなものが記載されている。
【０００３】
この救助工作車は、キャビン５１の後方に区画された荷台５２を備えており、荷台５２には、両側面に臨むように、積載スペース５３，５４，５５が前部から後部へかけて順次設けられている。また、荷台５２の幅方向中間部には、両側の積載スペース５３の奥に位置する積載スペース５６と、積載スペース５４，５５の奥に位置して前後に並ぶ積載スペース５７，５８とが設けられている。
【０００４】
積載スペース５３には、展開式の収納庫が備えられている。この収納庫は、使用頻度が高く比較的小さな資機材を収納する箱型の棚体６０を、積載スペース５３に格納した格納状態の位置と、積載スペース５３から引き出した展開状態の位置との間で移動可能としたものである。
【０００５】
棚体６０は、その一側部が上下方向に延びる支持軸６１により積載スペース５３の枠部に回動自在に軸支され、格納状態と展開状態とで、棚体６０の向きは約９０°変化し、高さ方向の位置は変化しないようになっている。
【０００６】
また、積載スペース５３の奥に位置する積載スペース５６には、棚体６０に収納できない比較的大きな資機材が収納され、この資機材を取り出す際には、棚体６０を展開状態とすることとされている。そのほか、荷台５２の中央部及び後部に位置する積載スペース５７，５８には、それぞれポンプ及び水のタンクが収納される。
【先行技術文献】
【特許文献】
【０００７】
【特許文献１】特許第４４８５８３２号公報
【発明の概要】
【発明が解決しようとする課題】
【０００８】
しかしながら、上記のような展開式の収納庫では、棚体６０を展開状態とすると、棚体６０の一側部が積載スペース５３の開口面の一部を塞ぐこととなるため、奥の積載スペース５６へのアクセススペースが制限され、積載スペース５６から資機材を取り出しにくいという問題がある。
【０００９】
そこで、この発明は、積載スペースから資機材を容易に取り出せる展開式収納庫を提供することを課題とする。
【課題を解決するための手段】
【００１０】
上記課題を解決するため、この発明は、救助工作車の側面に臨む積載スペースに備えられ、資機材を収納する棚体を、積載スペースに格納した格納状態の位置と、積載スペースから引き出した展開状態の位置との間で移動可能とした展開式収納庫において、次のような構成としたのである。
【００１１】
すなわち、前記棚体の横枠と積載スペースの枠部とを横アーム及びリンクロッドを介して連結することにより、水平方向の平行リンク機構を構成し、棚体の向き及び高さ方向の位置が格納状態と展開状態とで変化せず、展開状態では、棚体が格納状態から一側方へ移動して横アームで支持されるようにしたのである。
【発明の効果】
【００１２】
上記発明に係る展開式収納庫では、棚体が展開状態で格納状態から一側方へ移動して支持されるので、棚体を展開すると、奥の積載スペースへのアクセススペースが広く確保され、奥の積載スペースから資機材を容易に取り出すことができ、また、奥の積載スペースに資機材を容易に収納することができる。
【図面の簡単な説明】
【００１３】
【図１】救助工作車の外観斜視図
【図２】この発明の実施形態に係る展開式収納庫の棚体格納状態を示す斜視図
【図３】同上の概略平面図
【図４】同上の棚体展開状態を示す斜視図
【図５】同上の概略平面図
【図６】従来の展開式収納庫を備えた救助工作車の荷台レイアウトを示す平面図
【発明を実施するための形態】
【００１４】
図１に示す救助工作車は、キャビン５１の後方に区画された荷台５２を備えており、荷台５２の両側面に臨む積載スペース５３，５４の開口部には、その開閉手段として、シャッター６２及び下部に位置して垂直状態と水平状態との間で揺動するドアステップ６３が設けられている。ドアステップ６３は、水平状態では踏み台として使用できる。
【００１５】
図１に示すような形式の救助工作車に装備する展開式収納庫について、この発明の実施形態を図２〜図５に基づいて説明する。
【００１６】
この展開式収納庫は、救助工作車の右側面に臨む積載スペース５３に上方へ寄せて装備され、資機材を収納する棚体１１を、図２及び図３に示すように、積載スペース５３に格納した格納状態の位置と、図４及び図５に示すように、積載スペース５３から引き出した展開状態の位置との間で移動可能としたものである。
【００１７】
上記のような移動を可能とするため、棚体１１の上側及び下側の横枠の中央部と積載スペース５３の一側部の取付板５３ｂとは、中間部で屈曲した幅広い板状の横アーム１２を介して回動する連結点１２ａ，１２ｂで連結され、棚体１１の下側の横枠の横アーム１２との連結点１２ａより他側寄り部分から後方へ延びるブラケット１４と積載スペース５３の奥の枠部から前方へ延びるブラケット５３ｃとは、リンクロッド１３を介して回動する連結点１３ａ，１３ｂで連結されている。
【００１８】
横アーム１２の両端部の連結点１２ａ，１２ｂを結ぶ軸線１２ｃと、リンクロッド１３の両端部の連結点１３ａ，１３ｂを結ぶ軸線１３ｃとは、平行かつ等長とされ、これにより水平方向の平行リンク機構が構成されている。
【００１９】
棚体１１の前面下部には、取手１５が設けられ、下側の横アーム１２の基部には、棚体１１を格納状態で固定するレバー式のロック機構１６が設けられている。
【００２０】
このような展開式収納庫の棚体１１には、油圧式の救助器具等に比較して軽いケーブルやローブ等が収納されている。
【００２１】
上記のような展開式収納庫において、積載スペース５３の奥に位置する積載スペース５６に収納された資機材を救助活動に使用する際には、積載スペース５３の開口部を開き、図２及び図３に示すように、格納状態の棚体１１において、ロック機構１６のレバー操作に伴い、棚体１１の固定を解除し、取手１５を握って棚体１１を手前に引っ張り、図４及び図５に示すように、棚体１を積載スペース５３から引き出して展開状態とする。
【００２２】
このような棚体１１の移動操作に伴い、棚体１１の向き及び高さ方向の位置は、格納状態と展開状態とで変化せず、展開状態では、棚体１１が格納状態から一側方へ移動して横アーム１２で支持される。
【００２３】
上記のような展開式収納庫では、棚体１１が展開状態で格納状態から一側方へ移動して支持されるので、棚体１１を展開すると、奥の積載スペース５６へのアクセススペースが広く確保され、奥の積載スペース５６から資機材を容易に取り出すことができ、また、奥の積載スペース５６に資機材を容易に収納することができる。
【００２４】
また、棚体１１が展開状態でも救助工作車の荷台５２の側面から大きく張り出すことがないので、救助工作車を駐車した道路等の通行にほとんど支障を来たすことなく、資機材を出し入れすることができる。
【符号の説明】
【００２５】
１  棚体
１１  棚体
１２  横アーム
１２ａ，１２ｂ  連結点
１２ｃ  軸線
１３  リンクロッド
１３ａ，１３ｂ  連結点
１３ｃ  軸線
１４  ブラケット
１５  取手
１６  ロック機構
５１  キャビン
５２  荷台
５３，５４，５６  積載スペース
５３ａ，５３ｂ  取付板
５３ｃ  ブラケット
６２  シャッター
６３  ドアステップ
【図１】
0006362918.tif 000002
【図２】
0006362918.tif 000003
【図３】
0006362918.tif 000004
【図４】
0006362918.tif 000005
【図５】
0006362918.tif 000006
【図６】
0006362918.tif 000007